(57)【要約】【目的】水平方向に長く、垂直面にホーン状のフレアを有し、アンテナ全体を防水筐体に納めたファンビームアンテナにおいて、垂直寸法を広げることなく垂直面ビーム幅を狭くし、利得を向上させたファンビームアンテを提供する。【構成】防水筐体の輻射面を等価的に複数の誘電体板で構成し、この内の少なくとも一枚を凸レンズ同様の特性を有する誘電体レンズとしたことを特徴とする。【選択図】図１
2005102094.tif 000002
【特許請求の範囲】
【請求項１】
水平方向に長く、垂直面はホーン状のフレアを有し、アンテナ全体を防水筐体に納めたファンビームアンテナにおいて、防水筐体の輻射面を等価的に複数の誘電体板で構成し、この内の少なくとも一枚を凸レンズ同様の特性を有する誘電体レンズとしたことを特徴とするファンビームアンテナ。
【請求項２】
レドーム輻射面を等価的に２枚の誘電体板をほぼ同じ凸レンズ状とし、それぞれの凸部の透過方向最大電気長を使用周波数の１／４波長かそれ以下とし、２枚のレンズのピッチをほぼ１／４波長の電気長としたことを特徴とする請求範囲１のファンビームアンテナ。
【請求項３】
レドームの輻射面を等価的に３枚の誘電体板とし、最外側の誘電体板は厚さのほぼ均一なレドームとし、内側の２枚を凸レンズ状としたことを特徴とする請求範囲１のファンビームアンテナ。
【請求項４】
凸レンズ形状として、断面櫛形の形状とし、櫛の歯の部分の長さを、垂直面中央が長く、両端が短くなるようにした誘電レンズを有する請求範囲１，２，および３のファンビームアンテナ。
【発明の詳細な説明】
【技術分野】
【０００１】  本発明はレーダ装置等に使用される、水平面ビーム幅を狭くし、垂直面ビーム幅は比較的広くしたファンビームアンテナで、垂直面指向性をホーン状のフレアで絞ったものに誘電体レンズを併用した、ファンビームアンテナに関する。
【背景技術】
【０００２】  指向性アンテナを全周または特定セクタにスキャンして物標を探知するレーダ装置にはスロットアレイアンテナなど、水平方向に放射素子を並べて水平面ビーム幅を狭め、垂直方向はホーン状のフレアにて、垂直面ビーム幅を簡易に絞ったフレア付きアレーアンテナが使われることが多い。【０００３】  ところでこのようなフレア付アレーアンテナで、例えばＳバンド船舶用レーダでフレアの開口を実用的な大きさに抑えながら利得を確保する、すなわち垂直面のビーム幅を狭めようという提案が特開昭６０−２６１２０４や特開昭６２−１７１３０１で示されている。これらは数枚以下の複数の薄い誘電体板を２〜３波長分輻射方向に突き出しており、これらの誘電体板が誘電体ロッドアンテナのような導波器の役割を果たしているか、あるいは誘電体板周辺空間との平均誘電率で考えると誘電率の小さい誘電体レンズであると考えることもできる。【０００４】  一方、ペンシルビームアンテナで実用化されている図６に示すように、凸レンズ状に構成した単一素材の誘電体レンズを使うことや、図７に示すように空間との境界面では誘電率が低く、レンズの中心部に向かって徐々に誘電率が高くなるように設定して反射を抑えるものや、図８に示す特開平０５−０８３０１８の例のように、誘電率の大きい誘電体レンズ（７）を誘電率の比較的小さい（１／平方根）誘電体を、その電気長が１／４波長となる厚みで覆って整合層として反射を抑制する方法などをファンビームアンテナに適用することも考えられる。
【特許文献１】特開昭６０−２６１２０４
【特許文献２】特開昭６２−１７１３０１
【特許文献３】特開平０５−０８３０１８
【発明の開示】
【発明が解決しようとする課題】
【０００５】  特許文献１や特許文献２の例では前記ように誘電体板を２〜３波長突き出す方法では垂直寸法は抑えられるとしても、伝播方向の寸法がかなり大きくなってしまう。また図６に示すような単一素材の誘電体レンズを使うときは誘電体による反射を考慮する必要がある。【０００６】  一般に比透磁率が１で比誘電率εｒ１の媒質中の波動インピーダンスｚ１は、εｒ０＝１の空間の波動インピーダンスをｚ０とすれば次の関係にあることが知られている。
2005102094.tif 000003
またこの媒質と空間との境界面での反射係数ΓとＶＳＷＲは、▲１▼および▲２▼式を代入整理して
2005102094.tif 000004
と表せる。
▲３▼式より、例えば誘電体と空間との境界面でのＶＳＷＲを１．２に抑えたいとすれば、比誘電率が１．２となる。また、図６に示すように境界面は２つあり、２つの反射が合成されるが、その最悪値を考慮すると各反射係数Γを半分にする必要があり▲２▼式使って求めると比誘電率約１．１とかなり低い誘電率の材料を使う必要があり、レンズの厚みがかなり厚くなってしまうことは容易に想定できる他、成形や固定方法などの課題も大きい。
また、図７や図８に示すように中心部の誘電率を大きくできれば相対的にレンズの厚みを薄くできるが、複合材料の製法がに難があり、ファンビームアンテナにはほとんど使われていなかった。
本発明は上記の課題を解決することを目的とするもので、簡便に反射の少ない誘電体レンズを構成することにより断面形状の薄い、高利得なファンビームアンテナを提供する。
【課題を解決するための手段】
【０００７】  上記目的を達成するために本発明のファンビームアンテナは、
防水筐体の輻射面を等価的に複数の誘電体板で構成し、この内の少なくとも一枚を凸レンズ同様の特性を有する誘電体レンズとしたことを特徴とする。【０００８】  また別の方法として、レドーム輻射面を等価的に２枚の誘電体板をほぼ同じ凸レンズ状とし、それぞれの凸部の透過方向最大電気長を使用周波数の１／４波長かそれ以下とし、２枚のレンズのピッチをほぼ１／４波長の電気長としたことを特徴とする。【０００９】  または、レドームの輻射面を等価的に３枚の誘電体板とし、最外側の誘電体板は厚さのほぼ均一なレドームとし、内側の２枚を凸レンズ状としたことを特徴とする。
凸レンズ形状として、単純なレンズ形状ばかりでなく、断面櫛形の形状とし、櫛の歯の部分の長さを、垂直面中央が長く、両端が短くなるようにした誘電レンズを使うことを特徴とする。
このように構成することにより、本発明のファンビームアンテナは前記の課題を解決することができる
【発明の効果】
【００１０】  本発明によれば、単純な押出しや射出成形の都合を考慮し、有害な反射を抑制しながら、必要なレンズ効果が簡単に得られるので、小型で高い利得のファンビームアンテナが容易に得られる。
【発明を実施するための最良の形態】
【００１１】  以下、本発明のスロットアレーアンテナを実施するための最良な形態について、図面を参照して説明する。
【実施例１】
【００１２】  図１に本発明のファンビームアンテナの一実施例の断面図を示す。
同図ではアレー素子としてスロット導波管（１）を使った例で、フレア（２）の開口部に凸レンズ状の２枚の誘電体レンズ（５ａ−１，５ａ−２）と均一な厚みの誘電体で輻射面レドーム（３ａ）を配置し、その他の部分は防水筐体（４）で覆っている。なお、スロット導波管やフレアの機械的保持方法や給電系などは図から省略している。【００１３】  本例では輻射面レドーム（３ａ）と防水筐体（４）は一体とし、筒状の押出し成形とし、誘電体レンズ（５ａ−１）と（５ａ−２）はほぼ同一形状として別に押出しまたは射出成形したものを図のように防水筐体（４）に嵌め込むことを考慮している。
また、本例では誘電体レンズには、両端にフレア（２）を保持するための保持突起（９ａ）や、中央部に２枚の誘電体レンズの間隔を保持するためのスペーサ突起（９ｂ）を設けてある。また、中央部のスペーサ突起（９ｂ）は輻射面レドーム（３ａ）と誘電体レンズ（５ａ−２）の間隔を保持するための低誘電率発泡材（１０）の位置決め保持用としても使用している。【００１４】  垂直面中央での２枚の誘電体レンズの厚みや間隔、および輻射面レドームの厚みや誘電体レンズとの間隔は、電磁波がそれぞれの材質を順に通過することから、それぞれの波動インピーダンスを持った伝送線路が直列に接続されていると考えることができる。【００１５】  例えば図１０のスミスチャートに示すようなインピーダンス軌跡とし、たとえば同図点線円で示すＶＳＷＲ＝１．２の整合範囲内に納めている。
図１０の具体的な例では各間隔など空間の比誘電率を１としたときの波動インピーダンスを１に基準化し、各誘電体の比誘電率を４として、各誘電体の波動インピーダンスを比誘電率の１／平方根である１／２とし、垂直面中央の各誘電体の厚みと間隔を下記のような電気長（波長λ）と９．４ＧＨｚでの実寸法にしている。
レンズ（５ａ−１）の厚み：０．２５λ，４．０ｍｍ
レンズ（５ａ−１）と（５ａ−２）の間隔：０．０４λ，１．３ｍｍ
レンズ（５ａ−２）の厚み：０．２５λ，４．０ｍｍ
レンズ（５ａ−２）とレドーム（３ａ）の間隔：０．１５λ，４．８ｍｍ
レドーム（３ａ）の厚み：０．１１λ，１．８ｍｍ
レンズの合計最大誘電体厚みは８ｍｍであるが、各レンズの両端最小厚みをそれぞれ１ｍｍとし、有効厚みは差し引き６ｍｍとしている。【００１６】  一方一例として、図６に示すフレア（２）の開口角度を４５度、開口寸法を１００ｍｍ、周波数を９．４ＧＨｚとしたときの、開口近傍の垂直面位相分布を図９に示す。
図９の例では中心部に対し±５０ｍｍの端では約１１０度位相が遅れているため、理想的には中心部が端に対し１１０度遅れるようなレンズとしたいことがわかる。
ここで、誘電体レンズの比誘電率をεｒ、厚みをｄとし、ｄによる自由空間位相遅延ψ０と誘電体の位相遅延ψｄｉおよびこれらの遅延位相差ψは
2005102094.tif 000005
となる。【００１７】  ここで式▲４▼のｄに中心部の有効厚み６ｍｍを代入すると、位相遅延差φすなわち最大位相補正量として約６８度を得る。この値は上記理想値より小さいが、図９に示す±４０ｍｍの位置の位相にほぼ等しく、従って開口の８０％を補正することが可能であり、レンズとして十分な効果が期待できる。
また、レンズ垂直面各部の厚みは▲４▼式をｄについて変形して求め、各間隔は各厚みでＶＳＷＲを十分低くできる寸法に選べば良い。【００１８】  図１１にフレアのみで、レンズを使わない場合と、本例の開口の８０％を補正した場合の垂直面指向特性を示す。
同図ではレンズを使うことにより、ビーム幅２１度が１８度に狭められる他、裾の切れが良くなったことを示しており、これらにより利得が約１ｄＢ上昇した。【００１９】  図１２に本例のレンズおよびレドームによるＶＳＷＲを示す。設計周波数９．４ＧＨｚ付近で十分に反射が抑制されていることがわかる。【００２０】  本実施例は例えばレドーム（３ａ）と防水筐体４を一体の筒状押出し成形とする場合にの厚みを均一した方が成形し易いなど、成形上の都合がある場合に最適な例である。【００２１】  なお、レンズは押出し成形や、射出成形とすることができるが、射出成形とする場合は水平方向の長さを分割し、防水筐体（４）にそれぞれ突き合わせて嵌め込むようにすれば、成形型を小さくすることもできる。【００２２】  また、レンズ中央部に設けた突起（９ａ）やスペーサ（９ｂ）は間隔維持が困難な場合に設ければよい他、必要に応じて上記嵌め込み部分を例えば溶融接着などで接着すれば、機械的強度を上げることもできる。
【実施例２】
【００２３】  図２、図３、図４に本発明のファンビームアンテナの別の実施例の断面図を示す。
図４はほぼ均一な厚みを有するレドーム（３ａ）と凸レンズ状の１枚の誘電体レンズ（５ｅ）を配置したもので、前記実施例１のような垂直面全面に渡って反射抑制のための整合をとることはできないが、主に中央部についてだけ整合をとれば、反射抑制には不満があるが、簡易的にレンズの効果を得ることができる。【００２４】  図２はレドーム自体を凸レンズ状の誘電体レンズ（３ｂ）としたもので、内側にほぼ同形状の誘電体レンズ５ｂを配置し、それぞれのレンズ中央の厚みを使用周波数の１／４波長以下の電気長とし、垂直面全体に渡って２枚のレンズのピッチをほぼ１／４波長の電気長としたものである。
このように配置すると進行方向に１／４波長離れた２つの同じ反射は打ち消されるという原理で優れた反射抑制効果が得られる。【００２５】  図４は上記原理を更に推し進め、レンズ中央の厚みをそれぞれ１／４波長と厚くしたもので、最大のレンズ効果と優れた反射抑制効果が得られる。【００２６】  図２、図３の例はレドーム（３ｂ，３ｃ）を防水筐体とは別体で成形するか、または成形技術の進歩によって筒状でも厚みが変えられる場合に最適な例で、特に図３は成形の厚み制限も緩和される場合に適用することにより、２枚レンズとしては最大のレンズ効果を発揮することができる。
【実施例３】
【００２７】  図５に本発明のファンビームアンテナの別の実施例の断面図を示す。同図は誘電体レンズ５ｆを櫛形の断面形状にしたことが前記実施例とは異り、櫛の歯の部分と空間の隙間による平均誘電率を適用した下記のような構造で反射を抑制しながら，任意のレンズ効果を得られるようにしたものである。
歯の密度が最も高い部分：誘電体レンズとなる部分で、最大厚み（櫛の歯の長さ）は                            必要なレンズ効果により任意に設定することができる。
内側の歯の密度が低い部分：平均比誘電率を上記レンズ部分の比誘電率の平方根とな                            るようにし、厚みを１／４波長の電気長として、内側の反                            射を抑制する。
櫛の柄の部分：歯を保持するために必要な部分で、一定の厚みとする。
レドーム（３ａ）：一定の厚みとし、防水を行う。
レドームと前記柄の間の隙間：前記レンズ部分の波動インピーダンスと前記柄の部分                            の波動インピーダンス、上記レドームの波動インピーダン                            スおよびレドーム外側の空間波動インピーダンスとを、実                            施例１のような方法で整合させるために必要な空間。【００２８】  本実施例は特に誘電体レンズを射出成形する場合に、成形厚みをほぼ一定に保ちたいという成形上の都合がある場合に最適な例である。またこの場合、単純な凸レンズ形状の櫛形として、前記実施例１、実施例２の誘電体レンズとして使うこともできる。
【図面の簡単な説明】
【００２９】
【図１】本発明の誘電体レンズの一実施例の断面図
【図２】 
【図３】 
【図４】 
【図５】は本発明の誘電体レンズの他の実施例の断面図
【図６】従来の単一素材による誘電体レンズの断面図
【図７】従来の連続的複合材による誘電体レンズの断面図
【図８】従来の複合誘電体レンズの断面図
【図９】フレア開口近傍の垂直面位相分布図
【図１０】垂直面指向特性図
【図１１】ＶＳＷＲ特性図
【図１２】ＶＳＷＲを示す図
【符号の説明】
【００３０】１；スロット導波管
２；フレア
３；輻射面レドーム
３ｂ，３ｃ；誘電体レンズ形状としたレドーム
４；は防水筐体
５ａ，５ｂ，５ｃ，５ｄ，５ｅ，５ｆ；誘電体レンズ
６；単一素材の誘電体レンズ
７；連続複合素材の誘電体レンズ
８；二重複合素材の誘電体レンズ
【図１】
2005102094.tif 000006
【図２】
2005102094.tif 000007
【図３】
2005102094.tif 000008
【図４】
2005102094.tif 000009
【図５】
2005102094.tif 000010
【図６】
2005102094.tif 000011
【図７】
2005102094.tif 000012
【図８】
2005102094.tif 000013
【図９】
2005102094.tif 000014
【図１０】
2005102094.tif 000015
【図１１】
2005102094.tif 000016
【図１２】
2005102094.tif 000017